(57)【特許請求の範囲】
【請求項１】
ベッドフレ−ムを有し、このベッドフレ−ムには床板が設けられるベッド装置において、
上記床板の幅方向両側部のうちの少なくとも一側部に上記ベッドフレ−ムの幅方向内方へ凹んで形成された凹部と、
上記床板の上記凹部と対応する部分に設けられこの凹部に対して弾性的に突没自在な支持手段と、
上記床板上に載置されるとともに少なくとも上記凹部に対応する部分が上記床板の幅方向に圧縮変形可能なマットレス装置と
を具備したことを特徴とするベッド装置。
【請求項２】
上記床板は複数の床部に分割されていて、この床板の幅方向端部には、１つの床部の端面に取り付け固定される取付部及びこの取付部に回動自在に連結されるとともに上記１つの床部と隣り合う床部に連結された回動部とを有する支持部材が設けられていることを特徴とする請求項１記載のベッド装置。
【請求項３】
上記床板の凹部が形成された部分の下面側には、この床板の幅方向に沿ってガイド体が設けられ、このガイド体にはスライダが所定の範囲内でスライド自在かつ一端を上記凹部に臨ませて設けられ、このスライダの一端には上記支持手段が設けられ、他端側と上記ガイド体との間にはこのガイド体を弾性的にスライドさせるばねが設けられていることを特徴とする請求項１または請求項２に記載のベッド装置。
【発明の詳細な説明】
【０００１】
【発明の属する技術分野】
この発明は自力で身体を動かすことが不自由な病人や老人などを長期にわたって就寝させるのに適したベッド装置に関する。
【０００２】
【従来の技術】
たとえば、病院などに老人や病人などの自力で身体を自由に動かすことができない利用者が入院した場合には病院用のベッド装置が用いられる。この種のベッド装置には種々のタイプがあるが、その１つとして起床式のベッド装置が知られている。
【０００３】
起床式のベッド装置は、周知のようにベッドフレ−ムを有し、このベッドフレ−ム上に複数の床部に分割された床板が設けられている。複数の床部のうちの１つは上記フレ−ムに固定され、利用者の上半身に対応する床部は駆動機構によって起伏駆動されるようになっている。
【０００４】
したがって、利用者は自力で上半身を起こすことができなくとも、上記駆動機構によって床部を起上させることで、上半身を起こすことができるから、食事や読書などをするときに便利である。
【０００５】
ところで、ベッド装置上に横たわった利用者は定期的に診察を受けたり、排泄のための介護をしてもらわなければならないことがある。診察や介護を受ける際、利用者が自力で身体を動かすことが不自由な場合には、診察者や介護者が利用者の身体を部分的に持ち上げたり、寝返りを打たせるなどのことを行わなければならない。
【０００６】
利用者の身体を部分的に持ち上げたり、寝返りを打たせるなどの作業を行う場合、診察者や介護者は、身体をできるだけ利用者に接近させた方がその作業がし易く、たとえば身体を利用者から離した状態でそのような作業を行うと、力が入りにくいため、作業がしにくいということがあったり、作業者の腰に大きな負担が掛るため、腰を痛めるなどのことがある。
【０００７】
そこで、利用者を介護する場合、診察者や介護者は身体を利用者にできるだけ近付けて作業した方がよい。しかしながら、ベッド装置の床板は所定の幅寸法を有するから、利用者がその床板の幅方向中央部分や幅方向一端部側に仰臥しているような場合には、診察者や介護者は上記床板の幅方向他端側から身体を利用者に十分に近付けることができない状態で作業をしなければならないことがある。そのため、その作業がしにくかったり、腰を痛めるなどのことがあった。
【０００８】
【発明が解決しようとする課題】
このように、従来のベッド装置は床板上に仰臥した利用者を診察したり、介護するなどの作業を行う場合、上記床板が所定の幅寸法を有するから、利用者が仰臥している位置によっては利用者に身体を十分に接近させて作業を行うことができないため、その作業がしにくかったり、腰に負担が掛かるなどのことがあった。
【０００９】
この発明は上記事情に基づきなされたもので、その目的とすることは、利用者の診察や介護などをする場合、身体を利用者に十分に接近させることができるようにしたベッド装置を提供することにある。
【００１２】
【課題を解決するための手段】
請求項１の発明は、ベッドフレ−ムを有し、このベッドフレ−ムには床板が設けられるベッド装置において、
上記床板の幅方向両側部のうちの少なくとも一側部に上記ベッドフレ−ムの幅方向内方へ凹んで形成された凹部と、
上記床板の上記凹部と対応する部分に設けられこの凹部に対して弾性的に突没自在な支持手段と、
上記床板上に載置されるとともに少なくとも上記凹部に対応する部分が上記床板の幅方向に圧縮変形可能なマットレス装置とを具備したことを特徴とする。
【００１３】
請求項２の発明は、請求項１の発明において、上記床板は複数の床部に分割されていて、この床板の幅方向端部には、１つの床部の端面に取り付け固定される取付部及びこの取付部に回動自在に連結されるとともに上記１つの床部と隣り合う床部に連結された回動部とを有する支持部材が設けられていることを特徴とする。
【００１４】
請求項３の発明は、請求項１または請求項２の発明において、上記床板の凹部が形成された部分の下面側には、この床板の幅方向に沿ってガイド体が設けられ、このガイド体にはスライダが所定の範囲内でスライド自在かつ一端を上記凹部に臨ませて設けられ、このスライダの一端には上記支持手段が設けられ、他端側と上記ガイド体との間にはこのガイド体を弾性的にスライドさせるばねが設けられていることを特徴とする。
【００１６】
請求項１の発明によれば、床板に形成された凹部には支持手段が弾性的に突没自在に設けられ、マットレス装置の上記凹部に対応する部分は床板の幅方向に圧縮変形可能であるから、介護者は補助部材を圧縮変形させながら上記支持手段を没入方向へ弾性的に押し込むことで、身体を利用者に近づけることができ、しかも通常は上記補助部材が上記支持手段によって保持されているから、この補助部材によって利用者の支持状態が損なわれることがない。
【００１７】
請求項２の発明によれば、床板を複数の床部に分割した場合、隣り合う床部を取付部と回動部とを有する支持部材によって連結するようにしたことで、たとえば背上げ式のベッド装置用の床板などにおいて、隣り合う床部を簡単かつ確実に回動自在に連結することができる。
【００１８】
請求項３の発明によれば、支持手段を、床板の凹部が形成された部分の下面側にガイド体にスライド自在に設けられたスライダに連結し、このスライダをばねによって弾性的に支持したから、上記支持体を突没方向に対して円滑にしかも確実に変位させることができる。
【００１９】
【発明の実施の形態】
以下、この発明の実施の形態を図面を参照して説明する。
図１乃至図６はこの発明の第１の実施の形態を示し、図５と図６に示すベッド装置は下面四隅部に脚２が設けられたベ−スフレ−ム１を備えている。このベ−スフレ−ム１の四隅部には取付部３が設けられ、各取付部３には上下駆動ア−ム４の一端が回動自在に連結されている。各上下駆動ア−ム４の他端はベッドフレ−ム５に連結されている。
【００２０】
つまり、ベッドフレ−ム５の両側の長手方向両端部にはそれぞれブラケット６が垂設されている。ベッドフレ−ム５の幅方向において対応する各一対のブラケット６には横軸７が回転自在に架設されている。各横軸７には上記上下駆動ア−ム４の他端が固着されている。
【００２１】
上記一対の横軸７は図示しない上下駆動機構によって回転駆動されるようになっている。横軸７が回転駆動されれば、上記上下駆動ア−ム４が起伏駆動される。それによって、上記ア−ム４の他端に連結されたベッドフレ−ム５が上下駆動されるようになっている。
【００２２】
上記ベッドフレ−ム５は、その長手方向に沿う一対の長尺杆８と幅方向に沿う一対の短尺杆（図示せず）との端部を連結部材１１によって連結した矩形枠状をなしている。長手方向一端側に位置する一対の連結部材１１にはヘッドボ−ド枠１２が取り付けられ、他端側に位置する一対の連結部材１１にはフットボ−ド枠１３が取り付けられている。
【００２３】
上記ベッドフレ−ム５の上面には床板２１が設けられている。この床板２１はベッドフレ−ム５の長手方向に沿って分割された５つの床部２２ａ〜２２ｅからなる。この床板２１の長手方向中央部分は上記ベッドフレ−ム５に固定された固定床部２２ａとなっていて、この固定床部２２ａの一側には腰床部２２ｂと背床部２２ｃとが順次回動自在に連結されている。上記固定床部２２ａの他側には第１の脚床部２２ｄと第２の脚床部２２ｅとが順次回動自在に連結されている。
【００２４】
上記各床部２２ａ〜２２ｅは合成樹脂をブロ−成形して中空状に形成されていて、互いに回動自在に連結される端部は図１や図３に示すように凹部２３ａと凸部２３ｂとが交互に形成された凹凸状になっている。つまり、隣り合う床部は互いの凹部２３ａと凸部２３ｂとを組み込み、その部分が図３に示す中空連結軸２０によって回動自在に連結されている。さらに、床板２１の上面には図１に示すように長手方向に沿う凸条２３ｃが幅方向に所定間隔で形成されている。
【００２５】
上記床板２１の幅方向両側の長手方向中央部には平面形状が矩形状の凹部２４が形成されている。つまり、上記凹部２４は固定床部２２ａをその両側の腰床部２２ｂおよび第１の脚床部２２ｄよりも短尺にするとともに、腰床部２２ｂと第１の脚床部２２ｄの上記固定床部２２ａに隣接する部分を角型に除去することで、固定床部２２ａ，腰床部２２ｂおよび第１の脚床部２２ｄにわたって矩形状に形成されている。
【００２６】
なお、上記ベッドフレ−ム５の一対の長尺杆８の間隔は図１に示すように上記固定床部２２ａの長さ寸法とほぼ同じ幅寸法に設定されている。それによって、上記長尺杆８は上記凹部２４に露出することがない。
【００２７】
図５に示すように、上記ベッドフレ−ム５の下面側には背上げ駆動機構４１が設けられている。この背上げ駆動機構４１は一側面に駆動源４０が設けられたボックス４２を有し、このボックス４２の一端側と他端側とにはそれぞれ軸線をベッドフレ−ム５の幅方向に沿わせた第１の駆動軸４３と第２の駆動軸４４とが設けられている。
【００２８】
ヘッドボ−ド枠１２側に位置する第１の駆動軸４３には第１のア−ム４５の一端が固着されている。この第１のア−ム４５の他端部には一対の第１のロ−ラ４６が所定間隔で回転自在に設けられている。このロ−ラ４６は上記背床部２２ｃの下面に設けられた断面コ字状のレ−ル４７に転動自在に係合している。
【００２９】
上記第２の駆動軸４４には第２のア−ム４８の一端が連結されている。この第２のア−ム４８の他端には第２のロ−ラ４９が回転自在に設けられている。この第２のロ−ラ４９は上記第１の脚床部２２ｄの下面に当接している。
【００３０】
上記第１の駆動軸４３と第２の駆動軸４４は上記背上げ駆動機構４１によって回転駆動されるようになっている。第１の駆動軸４３が回転駆動されて第１のア−ム４５が起上方向に回動すると、腰床部２２ｂと背床部２２ｃとが起上させられる。第２の駆動軸４４が回転駆動されて第２のア−ム４８が起上方向に回動すると、第１の脚床部２２ｄが起上方向に駆動され、この第１の脚床部２２ｄに第２の脚床部２２ｅが連動する。
【００３１】
第２の脚床部２２ｅとベッドフレ−ム５との間にはリンク３８が回動自在に設けられている。それによって、第２の脚床部２２ｅは第１の脚床部２２ｄに連動した状態、つまり第１の脚床部２２ｄとでほぼへの字状をなした状態で保持されるようになっている。
【００３２】
上記床板２１上にはマットレス装置５１が載置される。このマットレス装置５１は図４に示すようにクッション体５２を袋状に縫製された布製の外装体５２ａに収容されてなる。
【００３３】
上記クッション体５２は、発泡ウレタンフォーム、サイザル繊維あるいは圧縮成形された綿などの弾性材料によってほぼ矩形状に形成された本体部５３と、この本体部５３の両側の長手方向中途部に形成された凹状の窪み部５４に接着固定された補助部材５５とからなる。この補助部材５５は上記本体部５３よりも十分に軟質になるよう発泡成形されたウレタンフォームなどによって形成されていて、幅方向（マットレス装置５１の幅方向と同方向）に圧縮変形し易いよう、その側面だけが上記窪み部５４の内側面に接着され、両端面は接着されていない。
【００３４】
さらに、上記補助部材５５には上下方向に貫通する複数の中空部５７が形成されている。そのことによっても、補助部材５５は厚さ方向に圧縮変形し易いようになっている。なお、補助部材５５に中空部５７は形成しなくてもよい。
【００３５】
上記マットレス装置５１の両側に設けられた補助部材５５は、このマットレス装置５１の左右方向および前後方向において対称形状に形成されている。それによって、床板２１上に載置されたマットレス装置５１を裏返したり、前後の向きを変えて使用しても、床板２１の凹部２４に対してマットレス装置５１の補助部材５５の位置がずれることがないようになっている。
【００３６】
上記床板２１の凹部２４には支持手段としての支持体６１が弾性的に変位自在に設けられている。この支持体６１は、図３（ａ）に示すように帯状の連結プレート６２の長手方向両端に一端が連結された一対のガイドロッド６３および中央に一端が連結されたストッパロッド６４からなる。一対のガイドロッド６３は上記固定床部２２ａに背床部２２ｃおよび第１の脚床部２２ｄを回動自在に連結した一対の中空連結軸２０にスライド自在に挿入されている。つまり、中空連結軸２０の端部が上記支持体６１をスライド自在に保持するガイド部となっている。
【００３７】
上記中空連結軸２０にはばね６５が収容されている。このばね６５は上記ガイドロッド６３の末端と、上記中空連結軸２０に設けられたピン６６との間に設けられ、上記支持体６１を上記凹部２４に突出するよう弾性的に付勢している。つまり、支持体６１は図３（ａ）に実線で示すように上記凹部２４に突出した状態から上記ばね６５の付勢力に抗して矢印方向に押し込むことができるようになっている。
【００３８】
上記ストッパロッド６４は上記固定床部２２ａの一側面および下面に開放して形成されたスライド溝６６にスライド自在に挿入されている。このスライド溝６６には図３（ｂ）に示すように段部６７が形成され、この段部６７には上記ストッパロッド６４の末端に設けられたストッパ６８が係合している。それによって、上記ストッパロッド６４の突出方向の位置が規制されるから、上記支持体６１が上記固定床部２２ａから抜出するのを阻止している。
【００３９】
なお、上記固定床部２２ａの端部下面には上記スライド溝６６を閉塞してストッパロッド６４がスライド溝６６から外れるのを防止する押え板６９が設けられている。
【００４０】
上記構成のベッド装置によれば、床板２１の両側の長手方向中途部には幅方向に凹んだ凹部２４が形成され、マットレス装置５１のクッション体５２の長手方向中央部分の幅方向両側は補助部材５５によって形成されている。
【００４１】
上記マットレス装置５１の補助部材５５は圧縮変形可能な柔らかさであるが、その補助部材５５の下面側は上記床板２１の凹部２４に突出した支持体６１によって支持されている。
【００４２】
そのため、支持体６１によって支持された補助部材５５は、荷重によって変形し過ぎるようなことがないから、通常のベッド面の一部として有効に利用することができる。つまり、補助部材５５を設けることで、マットレス装置５５の有効使用面積が減少するということがない。しかも、補助部材５５は本体部５３の窪み部５４に接着固定され、本体部５３と一体化されているから、そのことによっても利用者に与える違和感を減少させ、寝心地の低下を招くのが防止される。
【００４３】
一方、マットレス装置５１上に仰臥した図示しない老人や病人などの利用者を診察したり、介護する場合、診察者や介護者は床板２１の凹部２４に突出した支持体６１の連結プレート６２と、マットレス装置５１の支持体６１上に載置された補助部材５５とを身体の一部、たとえば太腿の部分で押圧する。それによって、上記支持体６１がばね６５の付勢力に抗して没入方向へスライドするとともに、マットレス装置５１の補助部材５５が圧縮変形されるから、診察者や観察者は床板２１の凹部２４内へ入り込み、マットレス装置５１に横臥した利用者に近付くことができる。
【００４４】
それによって、診察者や介護者は、利用者の身体を部分的に持ち上げたり、寝返りを打たせるなどの作業を、腰に負担が掛かることのない態勢で容易に行うことができる。しかも、マットレス装置５１の補助部材５５には中空部５７が形成されていることで圧縮変形し易くなっているから、そのことによっても診察者や介護者は凹部２４内へ入り込み易い。
【００４５】
さらに、足腰が弱った利用者がマットレス装置５１上から降りる場合、床板２１の凹部２４の箇所から降りるようにする。それによって、利用者が立ち上がるとき、利用者の大腿部が支持体６１や補助部材５５によって弾性的に保持されるから、保持されない場合に比べて立ち上がるときの安定性が得られる。
【００４６】
つまり、上記構成のベッド装置によれば、利用者を診察したり、介護する場合には床板２２の凹部２４に突出した支持体６１をばね６５の復元力に抗して弾性的に押し込むと同時に、マットレス装置５１の補助部材５５を圧縮変形させる。それによって、診察者や介護者は上記凹部２４に入り込んで利用者に近付くことができるから、診察や介護を楽な姿勢で容易に行うことが可能となる。
【００４７】
図７乃至図９はこの発明の第２の実施の形態を示す。この実施の形態は床板２１の５つの床部２２ａ〜２２ｅの隣り合う側面の一方にはコ字状の第１の連結具７１が設けられ、他方には上記連結具７１に連結軸７２によって回動自在に連結される舌片７３が設けられ、それによって５つの床部が互いに回動自在に連結されている。
【００４８】
ベッドフレーム５に固定される固定床部２２ａは、その下面側が開放していて、長手方向両端部内にはケース７４（一方のみ図示）が設けられている。このケース７４には支持体６１Ａが設けられている。この支持体６１Ａは上記第１の実施の形態と同様、連結プレート６２の両端にガイドロッド６３が連結されるとともに、中央部にはストッパロッド６４が連結されている。
【００４９】
上記ケース７４には一対のガイド筒７５が一端面を上記固定床部２２ａの端面に開口させて設けられ、さらに固定床部２２ａの一対のガイド筒７５の間の部分にはスライド溝６６が上記ケース７４の端面および下面に開放して形成されている。
【００５０】
上記ガイド筒７５には上記支持体６１Ａの一対のガイドロッド６３がスライド自在に挿通され、上記スライド溝６６には上記ストッパロッド６４がスライド自在に挿通されている。
【００５１】
上記ガイド筒７５には支持体６１Ａを突出方向に弾性的に付勢したばね６５が収容され、上記スライド溝６６には上記ストッパロッド６４の末端に設けられたストッパ６８が係合して支持体６１Ａの突出方向へのスライド位置を規制する段部６７が形成されている。上記スライド溝６６の一端部は押え板６９によって閉塞され、それによって上記スライド溝６６からストッパロッド６４が外れるのを阻止している。
【００５２】
なお、床板２１には、上記固定床部２２ａの長さ寸法を他の床部よりも短くすることで、その長手方向両端に凹部２４Ａが形成されている。
このような構成においても、上記第１の実施の形態と同様、支持体６１Ａをばね６５の付勢力に抗して押し込みながらマットレス装置５１の補助部材５５を圧縮変形させることで、診察者や介護者は床板２１の凹部２４Ａに入り込むことができる。
【００５３】
図１０はこの発明の第３の実施の形態を示すマットレス装置５１Ａの変形例である。この実施の形態のマットレス装置５１Ａは、本体部５３の幅方向両側に長手方向全長にわたって補助部材５５を設けることでクッション体５２を形成するようにしたものである。
【００５４】
このような構成のマットレス装置５１Ａによれば、上記第１の実施の形態に示されたベッド装置の床板２１上に載置して利用することができるばかりか、マットレス装置５１Ａの幅寸法を床板２１の幅寸法よりも大きくし、その両側部の補助部材５５を床板２２の幅方向から突出させるようにすれば、診察者や介護者は床板の幅方向のどの位置からでも、上記補助部材５５を圧縮変形させて利用者に近付くことができる。
【００５５】
なお、この第３の実施の形態の変形例として、補助部材５５をマットレス装置５１Ａの幅方向一側だけに設けるようにしてもよい。
図１１は第１の実施の形態において用いられた補助部材５５Ａの変形例で、この補助部材５５Ａは軟質シート８１の間に硬質シート８２と介在させ、これらを一体的に接着固定して形成するようにした。
【００５６】
このような構成によれば厚さ方向には軟質シート８１の柔らかさによって圧縮変形し易いが、上下方向には硬質シート８２の硬さによって変形しにくくなるから、通常の使用時における支持性能を向上させることができる。
【００５７】
図１２乃至図１４はこの発明の第５の実施の形態を示す。
この実施の形態は、第２の実施の形態に示された床板２１の固定床部２２ａの下面側に、その幅方向全長にわたる長さでチャンネル部材からなるガイド体８１が設けられている。また、固定床部２２ａの幅方向両端には保持部材８２が取り付けられる。
【００５８】
上記ガイド体８１には図１３と図１４に示すように一対のスライダ８３がスライド自在に設けられている。このスライダ８３は角筒部８３ａ及びこの角筒部８３ａのほぼ半分の形状のコ字状部８３ｂとからなる。上記角筒部８３ａの両側壁には長手方向に沿って所定の長さの長孔８４が形成され、上記コ字状部８３ｂの端部には支軸８５が設けられている。
【００５９】
上記ガイド体８１の一端側と他端側にはそれぞれガイド軸８６が幅方向に架設され、各ガイド軸８６は上記ガイド体８１に設けられたスライダ８３の長孔８４に挿通されている。したがって、上記スライダ８３は上記長孔８４の範囲内でスライド可能となっている。
【００６０】
上記支軸８５と上記ガイド軸８６との間にはコイルばね８７が張設されている。したがって、各スライダ８３は図１４（ａ）に示すように、上記コイルばね８７によって一端部がガイド体８１から突出した状態で弾性的に保持されている。
【００６１】
上記スライダ８３の一端部は図１２に示すように、上記保持部材８２に形成された溝部８２ａに通されて床板２１の凹部２４に突出し、その端面には支持体６１Ｂが設けられている。
【００６２】
上記支持体６１Ｂは、上記スライダ８３の端面に長手方向中途部の内面が固着された連結プレート８７を有し、この連結プレート８７の下端面にはロッドをコ字状に曲成したコ字状杆８８の中途部が固着され、上端面には３本の支持杆８９の一端部が固着されている。
【００６３】
上記コ字状杆８８の両端部と上記支持杆８９の他端部とは上記保持部材８２に形成された通孔９０にスライド自在に挿通支持されている。
上記構成によれば、支持体６１Ｂを、ガイド体８１にスライド自在に設けられたスライダ８３に取り付けるようにしたから、上記支持体６１Ｂのスライド変位が円滑に行われる。しかも、支持体６１Ｂを凹部２４に没入する方向へ変位させたときに、突出方向への復元力を与えるコイルばね８７を上記ガイド体８１内に設けたから、全体の構成をコンパクト化することができる。
【００６４】
この第５の実施の形態において、固定床部２２ａを合成樹脂で成形する場合、上記ガイド体８１を別部材とせずに、固定床部２２ａと一体成形するようにしてもよい。
【００６５】
図１５はこの発明の第６の実施の形態で、この実施の形態は第５の実施の形態で用いられたコイルばね８７に代わり、ガススプリング９１を用いるようにした。すなわち、ガイド体８１にスライド自在に支持された一対のスライダ８３Ａは角筒部８３ａだけからなり、一対のスライダ８３Ａの上記ガイド体８１内に位置する端部に上記ガススプリング９１の一端と他端とが連結れている。
【００６６】
上記ガススプリング９１は一対のスライダ８３Ａの支持体６１Ｂ（図１２に示すものと同じ構成）が設けられた端部が上記ガイド体８１から突出した状態で、これらスライダ８３Ａを弾性的に保持し、没入方向に変位させると、上記ガススプリング９１が圧縮されて復元力を生じるようになっている。
なお、スライダ８３Ａのスライド範囲は長孔８４及びガイド軸８６によって制限されていることは上記第５の実施の形態と同じである。
【００６７】
図１６はこの発明の第７の実施の形態で、この実施の形態は第５の実施の形態のコイルばね８７に代わりぜんまいばね９２が用いられている点で相違し、他の構成は同じである。
【００６８】
つまり、スライダ８３のコ字状部８３ｂの先端部に設けられた支軸８５には上記ぜんまいばね９２が保持され、このぜんまいばね９２の先端がガイド軸８６に連結されている。
【００６９】
したがって、スライダ８３が没入方向へスライド変位する際、上記ぜんまいばね９２が復元力に抗して伸張するから、没入させるためにスライダ８３に付与した力を除去するれば、突出方向へ自動的に復元するようになっている。
【００７０】
図１７はこの発明の第８の実施の形態を示す。この実施の形態は、図１２乃至図１４に示す第５の実施の形態とほぼ同じであるが、固定床部２２ｂの幅方向両端に設けられる保持部材８２Ａの形状が異なる。
【００７１】
すなわち、保持部材８２Ａは上記固定床部２２ａの端面に取付け固定される取付け部９１を有する。この取付け部９１は厚肉部９２ａの両端に薄肉部９２ｂが形成され、この薄肉部９２ｂ上に上記固定床部２２ａに隣接する腰床部２２ｂと第１の脚床部２２ｄとの幅方向一端部が位置するようになっている。
【００７２】
上記厚肉部９２ａの両端部にはレバー状の回動部９３の一端がピン９４によって回動自在に連結されている。各回動部９３は、上記薄肉部９２ｂ上に位置する腰床部２２ｂと第１の脚床部２２ｄの幅方向端部の上面にそれぞれ図示しないねじによって連結固定されている。
【００７３】
上記厚肉部９２ａの両端部には取付孔９４が厚さ方向に貫通して形成され、この取付孔９４に挿通される図示しないねじによって上記保持部材８２Ａはベッドフレーム８に取り付け固定されている。
【００７４】
上記構成によれば、支持体６１Ｂをスライド自在に支持するための保持部材８２Ａを、上記固定床部２２ａに対して、この固定床部２２ａに隣接する腰床部２２ｂと第１の脚床部２２ｃとを、回動自在に連結する連結部材としても利用することができる。
【００７５】
この発明は上記各実施の形態に限定されず、種々変形可能である。たとえばマットレス装置の本体部はウレタンフォームやサイザルなどの弾性材料に代わり、スプリングによって形成されたスプリングユニットであってもよい。さらに、本体部の窪み部に設けられる補助部材は本体部に比べて軟らかな材料に限られず、本体部と同じ硬さの弾性材料や硬い材料であっても、幅方向に圧縮変形し易い形状、たとえば中空状などの形状とすれば、補助部材として使用することができる。
【００７６】
さらに、マットレス装置としてはエアーマットレス、ウオータマットレス、ポリウレタンフォーム、とくに低反発のものなどであってもよく、要は支持体の変位によって幅方向内方へ弾性的に変形できる構成のものであればよい。
【００７７】
しかも、マットレス装置を比較的硬質の弾性材料で形成した場合、その弾性材料の床板の凹部に対応する部分に、厚さ方向に貫通する複数の孔を穿設しておけば、その部分を幅方向内方へ弾性変形させることが可能となる。
【００７９】
請求項１の発明によれば、床板に形成された凹部には支持手段が突出方向に弾性的に付勢され、マットレス装置の少なくとも上記凹部に対応する部分を圧縮変形可能とした。
【００８０】
そのため、介護者や診察者などは補助部材を圧縮変形させながら上記支持手段を没入方向へ弾性的に押し込むことで、身体を利用者に近づけることができるから、利用者の介護や診察を利用者に身体を近付けて楽な姿勢で容易に行うことができ、しかも通常はマットレス装置の上記凹部に対応する部分が上記支持手段によって保持されているから、マットレス装置の少なくとも凹部に対応する部分を圧縮変形可能にしても、利用者の支持状態が損なわれることがない。
【００８１】
請求項２の発明によれば、床板を複数の床部に分割した場合、隣り合う床部を取付部と回動部とを有する支持部材によって連結するようにした。
そのため、たとえば背上げ式のベッド装置用の床板などにおいては、隣り合う床部を簡単かつ確実に回動自在に連結することができる。
【００８２】
請求項３の発明によれば、床板の凹部が形成された部分の下面側にガイド体を設け、このガイド体にスライド自在にスライダを設け、このスライダに支持手段を連結するとともに、このスライダをばねによって弾性的に支持したから、上記支持体を突没方向に対して円滑にしかも確実に変位させることができる。
【図面の簡単な説明】
【図１】この発明の第１の実施の形態の全体構成を示すベッド装置の平面図。
【図２】同じく要部の斜視図。
【図３】（ａ）は同じく床板の支持手段が設けられた部分を一部断面して下面側から見た平面図、（ｂ）は同じく図３（ａ）のＡ−Ａ線に沿う断面図、（ｃ）は同じく図３（ｂ）のＢ−Ｂ線に沿う断面図。
【図４】同じくマットレス装置の外装体の一部を除去した斜視図。
【図５】同じくベッド装置の側面図。
【図６】同じくベッド装置の縦断面図。
【図７】この発明の第２の実施の形態を示すベッド装置の平面図。
【図８】同じく支持体が設けられた部分の斜視図。
【図９】（ａ）は同じく図８のＸ−Ｘ線に沿う断面図、（ｂ）は同じくＹ−Ｙ線に沿う断面図。
【図１０】この発明の第３の実施の形態を示す外装体の一部を除去したマットレス装置の斜視図。
【図１１】この発明の第４の実施の形態を示す本体部の斜視図。
【図１２】この発明の第５の実施の形態を示す固定床部の裏面側を示す斜視図。
【図１３】同じくガイド体とスライダの分解斜視図。
【図１４】（ａ）は同じくガイド体とスライダとの組立て状態の平面図、（ｂ）は同じくスライダをガイド体内へスライドさせた状態の平面図。
【図１５】この発明の第６の実施の形態を示すガイド体とスライダとの組立て状態の平面図。
【図１６】この発明の第７の実施の形態を示すガイド体とスライダとの組立て状態の平面図。
【図１７】この発明の第８の実施の形態を示す固定床部の幅方向両端に設けられる一対の保持部材の斜視図。
【符号の説明】
５…ベッドフレーム
２１…床板
２４…凹部
５１…マットレス装置
５２…クッション体
５２ａ…外装体
５３…本体部
５５…補助部材
６１…支持体（支持手段）
【図１】
0003566554.tif 000002
【図２】
0003566554.tif 000003
【図３】
0003566554.tif 000004
【図４】
0003566554.tif 000005
【図５】
0003566554.tif 000006
【図６】
0003566554.tif 000007
【図７】
0003566554.tif 000008
【図８】
0003566554.tif 000009
【図９】
0003566554.tif 000010
【図１０】
0003566554.tif 000011
【図１１】
0003566554.tif 000012
【図１２】
0003566554.tif 000013
【図１３】
0003566554.tif 000014
【図１４】
0003566554.tif 000015
【図１５】
0003566554.tif 000016
【図１６】
0003566554.tif 000017
【図１７】
0003566554.tif 000018